(57)【特許請求の範囲】
【請求項１】
背後からの照明によって表示される複数の記号（４０）を有する表示板（４）と、
前記記号を照明する複数の光源（６０）を有する光源装置（６）と、
前記表示板と前記光源装置との間に配置された仕切部材（５）とを備え、
前記複数の記号は、
複数のモードを示す複数の第１モード記号（４３Ｒ、４２Ｎ、４２Ｄ、４２Ｐ）、
前記複数の第１モードのひとつを選択するための選択装置の操作方法を示す第１操作記号（４１Ｆ）、
前記複数の第１モード記号のひとつに対応する特定のモードにおいてのみ選択可能な組合せモードを示す第２モード記号（４２Ｂ）、および
前記組合せモードを選択するための選択装置の操作方法を示す第２操作記号（４１Ｍ）を含み、
前記複数の光源は、
前記第１操作記号（４１Ｆ）と前記複数の第１モード記号（４３Ｒ、４２Ｎ、４２Ｄ、４２Ｐ）とを間接的に照明する第１間接光源（６１ＮＲ、６１ＤＦ、６１ＰＦ）、
前記第２操作記号（４１Ｍ）と前記第２モード記号（４２Ｂ）とを間接的に照明する第２間接光源（６１ＢＭ）、
前記複数の第１モード記号を直接に照明する複数の第１直接光源（６３Ｒ、６２Ｎ、６２Ｄ、６２Ｐ）、および
前記第２モード記号を直接に照明する第２直接光源（６２Ｂ）を含み、
前記仕切部材（５）は、
前記第１操作記号の背後に配置された一端の開口を有し、前記光源装置から前記表示板へ向かう縦方向に延びる縦貫通穴を区画する第１間接縦筒（５０Ｆ）、
前記第２操作記号の背後に配置された一端の開口を有し、前記光源装置から前記表示板へ向かう縦方向に延びる縦貫通穴を区画する第２間接縦筒（５０Ｍ）、
前記複数の第１モード記号の背後に配置された一端の開口と、前記第１直接光源を囲む他端の開口とを有し、前記光源装置から前記表示板へ向かう縦方向に延びる縦貫通穴を区画する複数の第１直接縦筒（５０Ｒ、５０Ｎ、５０Ｄ、５０Ｐ）、
前記第２モード記号の背後に配置された一端の開口と、前記第２直接光源を囲む他端の開口とを有し、前記光源装置から前記表示板へ向かう縦方向に延びる縦貫通穴を区画する第２直接縦筒（５０Ｂ）、
前記縦方向に関して前記第１の間接光源（６１ＮＲ、６１ＤＦ、６１ＰＦ）を覆い、前記複数の第１直接縦筒の前記光源装置に近い位置に形成された連通口を介して前記複数の第１直接縦筒内の縦貫通穴と連通し、さらに前記第１間接縦筒の前記光源装置に近い位置に形成された連通口を介して前記第１間接縦筒内の縦貫通穴と連通する凹部を区画する第１横筒（５１ＮＲ、５１ＤＦ、５１ＰＦ）、および
前記縦方向に関して前記第２の間接光源（６１ＢＭ）を覆い、前記第２直接縦筒の前記光源装置に近い位置に形成された連通口を介して前記第２直接縦筒内の縦貫通穴と連通し、さらに前記第２間接縦筒の前記光源装置に近い位置に形成された連通口を介して前記第２間接縦筒内の縦貫通穴と連通する凹部を区画する第２横筒（５１ＢＭ）を有し、
前記複数の第１直接縦筒（５０Ｒ、５０Ｎ、５０Ｄ、５０Ｐ）と前記第１間接縦筒（５０Ｆ）とは隣接して配置されており、
前記第２直接縦筒（５０Ｂ）と前記第２間接縦筒（５０Ｍ）とは隣接して配置されており、
さらに、前記第１間接光源、前記第２間接光源、前記複数の第１直接光源、および前記第２直接光源の点灯または消灯を制御する制御装置（２３）を備え、
前記制御装置は、
電源スイッチがＯＮ位置に操作されている間中、前記第１間接光源（６１ＮＲ、６１ＤＦ、６１ＰＦ）を点灯させ、
前記特定のモードが選択されている時にだけ、前記複数の第１直接光源（６３Ｒ、６２Ｎ、６２Ｄ、６２Ｐ）の対応するひとつを点灯させ、
前記特定のモードが選択されている時にだけ、前記第２間接光源（６１ＢＭ）を点灯させ、
さらに、前記特定モードが選択され、かつ前記組合せモードが選択されている時だけ、前記第２直接光源（６２Ｂ）を点灯させることを特徴とする表示装置。
【請求項２】
背後からの照明によって表示される複数の記号（４０）を有する表示板（４）と、
前記記号を照明する複数の光源（６０）を有する光源装置（６）と、
前記表示板と前記光源装置との間に配置された仕切部材（５）とを備え、
前記複数の記号は、
複数のモードを示す複数の第１モード記号（４３Ｒ、４２Ｎ、４２Ｄ、４２Ｐ）、
前記複数の第１モード記号のひとつに対応する特定のモードにおいてのみ選択可能な組合せモードを示す第２モード記号（４２Ｂ）、および
前記組合せモードを選択するための選択装置の操作方法を示す操作記号（４１Ｍ）を含み、
前記複数の光源は、
前記複数の第１モード記号（４３Ｒ、４２Ｎ、４２Ｄ、４２Ｐ）を間接的に照明する第１間接光源（６１ＮＲ、６１ＤＦ、６１ＰＦ）、
前記操作記号（４１Ｍ）と前記第２モード記号（４２Ｂ）とを間接的に照明する第２間接光源（６１ＢＭ）、
前記複数の第１モード記号を直接に照明する複数の第１直接光源（６３Ｒ、６２Ｎ、６２Ｄ、６２Ｐ）、および
前記第２モード記号を直接に照明する第２直接光源（６２Ｂ）を含み、
前記仕切部材（５）は、
前記操作記号の背後に配置された一端の開口を有し、前記光源装置から前記表示板へ向かう縦方向に延びる縦貫通穴を区画する間接縦筒（５０Ｍ）、
前記第１モード記号の背後に配置された一端の開口と、前記第１直接光源を囲む他端の開口とを有し、前記光源装置から前記表示板へ向かう縦方向に延びる縦貫通穴を区画する複数の第１直接縦筒（５０Ｒ、５０Ｎ、５０Ｄ、５０Ｐ）、
前記第２モード記号の背後に配置された一端の開口と、前記第２直接光源を囲む他端の開口とを有し、前記光源装置から前記表示板へ向かう縦方向に延びる縦貫通穴を区画する第２直接縦筒（５０Ｂ）、
前記縦方向に関して前記第１の間接光源（６１ＮＲ、６１ＤＦ、６１ＰＦ）を覆い、前記複数の第１直接縦筒の前記光源装置に近い位置に形成された連通口を介して前記複数の第１直接縦筒内の縦貫通穴と連通する凹部を区画する第１横筒（５１ＮＲ、５１ＤＦ、５１ＰＦ）、および
前記縦方向に関して前記第２の間接光源（６１ＢＭ）を覆い、前記第２直接縦筒の前記光源装置に近い位置に形成された連通口を介して前記第２直接縦筒内の縦貫通穴と連通し、さらに前記間接縦筒の前記光源装置に近い位置に形成された連通口を介して前記間接縦筒内の縦貫通穴と連通する凹部を区画する第２横筒（５１ＢＭ）を有し、
前記複数の第１直接縦筒（５０Ｒ、５０Ｎ、５０Ｄ、５０Ｐ）は隣接して配置されており、
前記第２直接縦筒（５０Ｂ）と前記間接縦筒（５０Ｍ）とは隣接して配置されており、
さらに、前記第１間接光源、前記第２間接光源、前記複数の第１直接光源、および前記第２直接光源の点灯または消灯を制御する制御装置（２３）を備え、
前記制御装置は、
電源スイッチがＯＮ位置に操作されている間中、前記第１間接光源（６１ＮＲ、６１ＤＦ、６１ＰＦ）を点灯させ、
前記特定のモードが選択されている時にだけ、前記複数の第１直接光源（６３Ｒ、６２Ｎ、６２Ｄ、６２Ｐ）の対応するひとつを点灯させ、
前記特定のモードが選択されている時にだけ、前記第２間接光源（６１ＢＭ）を点灯させ、
さらに、前記特定モードが選択され、かつ前記組合せモードが選択されている時だけ、前記第２直接光源（６２Ｂ）を点灯させることを特徴とする表示装置。
【請求項３】
前記第２横筒（５１ＢＭ）は、前記第２直接縦筒（５０Ｂ）と前記第２間接縦筒（５０Ｍ）との側方に配置されていることを特徴とする請求項１に記載の表示装置。
【請求項４】
前記第２横筒（５１ＢＭ）は、前記第２直接縦筒（５０Ｂ）と前記第２間接縦筒（５０Ｍ）とに重複して配置されていることを特徴とする請求項１に記載の表示装置。
【請求項５】
前記第２横筒（５１ＢＭ）は、前記第２直接縦筒（５０Ｂ）と前記間接縦筒（５０Ｍ）との側方に配置されていることを特徴とする請求項２に記載の表示装置。
【請求項６】
前記第２横筒（５１ＢＭ）は、前記第２直接縦筒（５０Ｂ）と前記間接縦筒（５０Ｍ）とに重複して配置されていることを特徴とする請求項２に記載の表示装置。
【請求項７】
前記光源装置（６）は、前記複数の光源（６０）としての発光ダイオードを実装した回路基板（６４）を備え、
前記仕切部材（５）は前記回路基板（６４）上に配置されており、
前記連通口は、前記縦筒と前記横筒との間の仕切板に形成されており、
前記回路基板の表面からの前記発光ダイオードの出射面の高さ（ＨＤ）と、前記回路基板の表面からの前記連通口の高さ（ＨＷ）とが、ほぼ等しいことを特徴とする請求項１から６のいずれかに記載の表示装置。
【請求項８】
前記間接光源の光源輝度は、前記直接光源の光源輝度より高いことを特徴とする請求項１から７のいずれかに記載の表示装置。
【請求項９】
前記特定のモードは、車両を前進させるためのＤモードであり、
前記組合せモードは、前記Ｄモードにおいて減速時の電力回生量を増加させるためのＢモードであることを特徴とする請求項１から８のいずれかに記載の表示装置。
【発明の詳細な説明】
【技術分野】
【０００１】
本発明は、間接照明による表示と直接照明による表示とを切換えることができる表示装置に関する
【背景技術】
【０００２】
特許文献１は、車両の走行モードを表示する表示装置を開示している。この装置では、ひとつの記号を共通の第１の色で照明する第１照明状態と、ひとつの記号を共通色とは異なる第２の色で照明する第２照明状態とを切換えている。第１の色としては、白色光が用いられている。第２の色としては、オレンジ色または緑色が用いられている。さらに、この装置では、複数の記号を隣接して配置している。複数の記号の直下には、第１の色の光源からの光を複数の記号へと導く導光板が設けられている。導光板は、複数の記号の下にわたって広がっている。複数の記号のそれぞれの直下には、第２の色の光源が置かれている。
【先行技術文献】
【特許文献】
【０００３】
【特許文献１】特開２００４−２３３４６６号公報
【発明の概要】
【発明が解決しようとする課題】
【０００４】
導光板を備える従来技術は、部品点数が多いという問題点があった。また、導光板は、表示装置の価格を高くするという問題点があった。
【０００５】
さらに、別の観点では、従来技術の構成では、特定のひとつの記号を第２の色の光源から照明すると、その光が導光板を通じて隣接する他の記号にも漏れ出すことがあった。このような光の漏れは、照明品位とも呼ばれる照明の質を低下させていた。特に、夜間のような暗い環境下では、わずかな光の漏れでも、視認されやすいという問題点があった。
【０００６】
また、特許文献１に開示されるように、導光板を経由した光の漏れを低減するために、導光板の形状を改良することが提案されている。しかし、導光板の形状が複雑化するという問題点があった。
【０００７】
本発明は上記問題点に鑑みてなされたものであり、その目的は、簡単な構成で、間接照明による表示と、直接照明による表示とを実現できる表示装置を提供することである。
【０００８】
本発明の他の目的は、簡単な構成で、ひとつの記号から他の記号への光の漏れを低減することができる表示装置を提供することである。
【０００９】
本発明のさらに他の目的は、導光板を用いることなく、複数の記号を第１の光で照明することができ、しかも、ひとつの記号を第１の光と異なる第２の光で照明しても、他の記号への第２の光の漏れを低減することができる表示装置を提供することである。
【課題を解決するための手段】
【００１０】
本発明は上記目的を達成するために以下の技術的手段を採用する。
【００２１】
請求項１に記載の発明は、背後からの照明によって表示される複数の記号（４０）を有する表示板（４）と、記号を照明する複数の光源（６０）を有する光源装置（６）と、
表示板と光源装置との間に配置された仕切部材（５）とを備え、
複数の記号は、複数のモードを示す複数の第１モード記号（４３Ｒ、４２Ｎ、４２Ｄ、４２Ｐ）、複数の第１モードのひとつを選択するための選択装置の操作方法を示す第１操作記号（４１Ｆ）、複数の第１モード記号のひとつに対応する特定のモードにおいてのみ選択可能な組合せモードを示す第２モード記号（４２Ｂ）、および組合せモードを選択するための選択装置の操作方法を示す第２操作記号（４１Ｍ）を含み、
複数の光源は、第１操作記号（４１Ｆ）と複数の第１モード記号（４３Ｒ、４２Ｎ、４２Ｄ、４２Ｐ）とを間接的に照明する第１間接光源（６１ＮＲ、６１ＤＦ、６１ＰＦ）、第２操作記号（４１Ｍ）と第２モード記号（４２Ｂ）とを間接的に照明する第２間接光源（６１ＢＭ）、複数の第１モード記号を直接に照明する複数の第１直接光源（６３Ｒ、６２Ｎ、６２Ｄ、６２Ｐ）、および第２モード記号を直接に照明する第２直接光源（６２Ｂ）を含み、
仕切部材（５）は、第１操作記号の背後に配置された一端の開口を有し、光源装置から表示板へ向かう縦方向に延びる縦貫通穴を区画する第１間接縦筒（５０Ｆ）、第２操作記号の背後に配置された一端の開口を有し、光源装置から表示板へ向かう縦方向に延びる縦貫通穴を区画する第２間接縦筒（５０Ｍ）、複数の第１モード記号の背後に配置された一端の開口と、第１直接光源を囲む他端の開口とを有し、光源装置から表示板へ向かう縦方向に延びる縦貫通穴を区画する複数の第１直接縦筒（５０Ｒ、５０Ｎ、５０Ｄ、５０Ｐ）、第２モード記号の背後に配置された一端の開口と、第２直接光源を囲む他端の開口とを有し、光源装置から表示板へ向かう縦方向に延びる縦貫通穴を区画する第２直接縦筒（５０Ｂ）、縦方向に関して第１の間接光源（６１ＮＲ、６１ＤＦ、６１ＰＦ）を覆い、複数の第１直接縦筒の光源装置に近い位置に形成された連通口を介して複数の第１直接縦筒内の縦貫通穴と連通し、さらに第１間接縦筒の光源装置に近い位置に形成された連通口を介して第１間接縦筒内の縦貫通穴と連通する凹部を区画する第１横筒（５１ＮＲ、５１ＤＦ、５１ＰＦ）、および縦方向に関して第２の間接光源（６１ＢＭ）を覆い、第２直接縦筒の光源装置に近い位置に形成された連通口を介して第２直接縦筒内の縦貫通穴と連通し、さらに第２間接縦筒の光源装置に近い位置に形成された連通口を介して第２間接縦筒内の縦貫通穴と連通する凹部を区画する第２横筒（５１ＢＭ）を有し、
複数の第１直接縦筒（５０Ｒ、５０Ｎ、５０Ｄ、５０Ｐ）と第１間接縦筒（５０Ｆ）とは隣接して配置されており、第２直接縦筒（５０Ｂ）と第２間接縦筒（５０Ｍ）とは隣接して配置されており、
さらに、第１間接光源、第２間接光源、複数の第１直接光源、および第２直接光源の点灯または消灯を制御する制御装置（２３）を備え、制御装置は、電源スイッチがＯＮ位置に操作されている間中、第１間接光源（６１ＮＲ、６１ＤＦ、６１ＰＦ）を点灯させ、特定のモードが選択されている時にだけ、複数の第１直接光源（６３Ｒ、６２Ｎ、６２Ｄ、６２Ｐ）の対応するひとつを点灯させ、特定のモードが選択されている時にだけ、第２間接光源（６１ＢＭ）を点灯させ、さらに、特定モードが選択され、かつ組合せモードが選択されている時だけ、第２直接光源（６２Ｂ）を点灯させることを特徴とする表示装置という技術的手段を採用する。
【００２２】
この発明によると、第１操作記号と第１モード記号と第１間接光源と第１直接光源と第１間接縦筒と第１直接縦筒と第１横筒とによって、ひとつのユニットが構成される。また、第２操作記号と第２モード記号と第２間接光源と第２直接光源と第２間接縦筒と第２直接縦筒と第２横筒とによって、ひとつのユニットが構成される。各ユニットにおいて、表示板と光源装置との間に透光性の導光板を配置することなく、間接照明による表示と、直接照明による表示とが実現される。さらに、各ユニットにおいて、直接縦筒から間接縦筒への光の漏れが低減される。さらに、２つのユニットを独立して構成しているため、それらを異なる表示状態にすることができる。例えば、第１操作記号をＲ、Ｎ、Ｄモードへの操作方法を示す記号とし、第２操作記号をＢモードへの操作方法を示す記号とすることができる。
【００２３】
請求項２に記載の発明は、背後からの照明によって表示される複数の記号（４０）を有する表示板（４）と、記号を照明する複数の光源（６０）を有する光源装置（６）と、表示板と光源装置との間に配置された仕切部材（５）とを備え、
複数の記号は、複数のモードを示す複数の第１モード記号（４３Ｒ、４２Ｎ、４２Ｄ、４２Ｐ）、複数の第１モード記号のひとつに対応する特定のモードにおいてのみ選択可能な組合せモードを示す第２モード記号（４２Ｂ）、および組合せモードを選択するための選択装置の操作方法を示す操作記号（４１Ｍ）を含み、
複数の光源は、複数の第１モード記号（４３Ｒ、４２Ｎ、４２Ｄ、４２Ｐ）を間接的に照明する第１間接光源（６１ＮＲ、６１ＤＦ、６１ＰＦ）、操作記号（４１Ｍ）と第２モード記号（４２Ｂ）とを間接的に照明する第２間接光源（６１ＢＭ）、複数の第１モード記号を直接に照明する複数の第１直接光源（６３Ｒ、６２Ｎ）、および第２モード記号を直接に照明する第２直接光源（６２Ｂ）を含み、
仕切部材（５）は、操作記号の背後に配置された一端の開口を有し、光源装置から表示板へ向かう縦方向に延びる縦貫通穴を区画する間接縦筒（５０Ｍ）、第１モード記号の背後に配置された一端の開口と、第１直接光源を囲む他端の開口とを有し、光源装置から表示板へ向かう縦方向に延びる縦貫通穴を区画する複数の第１直接縦筒（５０Ｒ、５０Ｎ、５０Ｄ、５０Ｐ）、第２モード記号の背後に配置された一端の開口と、第２直接光源を囲む他端の開口とを有し、光源装置から表示板へ向かう縦方向に延びる縦貫通穴を区画する第２直接縦筒（５０Ｂ）、縦方向に関して第１の間接光源（６１ＮＲ、６１ＤＦ、６１ＰＦ）を覆い、複数の第１直接縦筒の光源装置に近い位置に形成された連通口を介して複数の第１直接縦筒内の縦貫通穴と連通する凹部を区画する第１横筒（５１ＮＲ、５１ＤＦ、５１ＰＦ）、および縦方向に関して第２の間接光源（６１ＢＭ）を覆い、第２直接縦筒の光源装置に近い位置に形成された連通口を介して第２直接縦筒内の縦貫通穴と連通し、さらに間接縦筒の光源装置に近い位置に形成された連通口を介して間接縦筒内の縦貫通穴と連通する凹部を区画する第２横筒（５１ＢＭ）を有し、
複数の第１直接縦筒（５０Ｒ、５０Ｎ、５０Ｄ、５０Ｐ）は隣接して配置されており、第２直接縦筒（５０Ｂ）と間接縦筒（５０Ｍ）とは隣接して配置されており、
さらに、第１間接光源、第２間接光源、複数の第１直接光源、および第２直接光源の点灯または消灯を制御する制御装置（２３）を備え、制御装置は、電源スイッチがＯＮ位置に操作されている間中、第１間接光源（６１ＮＲ、６１ＤＦ、６１ＰＦ）を点灯させ、特定のモードが選択されている時にだけ、複数の第１直接光源（６３Ｒ、６２Ｎ、６２Ｄ、６２Ｐ）の対応するひとつを点灯させ、特定のモードが選択されている時にだけ、第２間接光源（６１ＢＭ）を点灯させ、さらに、特定モードが選択され、かつ組合せモードが選択されている時だけ、第２直接光源（６２Ｂ）を点灯させることを特徴とする表示装置という技術的手段を採用する。
【００２４】
この発明によると、複数の第１モード記号と第１間接光源と第１直接光源と複数の第１直接縦筒と第１横筒とによって、ひとつのユニットが構成される。また、操作記号と第２モード記号と第２間接光源と第２直接光源と第２間接縦筒と第２直接縦筒と第２横筒とによって、ひとつのユニットが構成される。各ユニットにおいて、表示板と光源装置との間に透光性の導光板を配置することなく、間接照明による表示と、直接照明による表示とが実現される。さらに、各ユニットにおいて、直接縦筒から他の縦筒への光の漏れが低減される。さらに、２つのユニットを独立して構成しているため、それらを異なる表示状態にすることができる。例えば、第１モード記号をＲ、Ｎモードを示す記号とし、操作記号をＢモードへの操作方法を示す記号とすることができる。
請求項３に記載の発明は、第２横筒（５１ＢＭ）は、第２直接縦筒（５０Ｂ）と第２間接縦筒（５０Ｍ）との側方に配置されていることを特徴とする。この発明によると、一の縦貫通穴から凹部を通り他の縦貫通穴へ到達する光の経路の長さを長くすることができる。このため、直接光源の光の漏れが低減される。
請求項４に記載の発明は、第２横筒（５１ＢＭ）は、第２直接縦筒（５０Ｂ）と第２間接縦筒（５０Ｍ）とに重複して配置されていることを特徴とする。この発明によると、横筒を２つの縦筒の側方へ突出させることなく配置することができる。
請求項５に記載の発明は、第２横筒（５１ＢＭ）は、第２直接縦筒（５０Ｂ）と間接縦筒（５０Ｍ）との側方に配置されていることを特徴とする。この発明によると、一の縦貫通穴から凹部を通り他の縦貫通穴へ到達する光の経路の長さを長くすることができる。このため、直接光源の光の漏れが低減される。
請求項６に記載の発明は、第２横筒（５１ＢＭ）は、第２直接縦筒（５０Ｂ）と間接縦筒（５０Ｍ）とに重複して配置されていることを特徴とする。この発明によると、横筒を２つの縦筒の側方へ突出させることなく配置することができる。
請求項７に記載の発明は、光源装置（６）は、複数の光源（６０）としての発光ダイオードを実装した回路基板（６４）を備え、仕切部材（５）は回路基板（６４）上に配置されており、連通口は、縦筒と横筒との間の仕切板に形成されており、回路基板の表面からの発光ダイオードの出射面の高さ（ＨＤ）と、回路基板の表面からの連通口の高さ（ＨＷ）とが、ほぼ等しいという技術的手段を採用する。この発明によると、直接光源としての発光ダイオードの光が連通口へ直接に到達することが抑制される。この結果、直接光源の光の凹部へ漏れが低減される。
請求項８に記載の発明は、間接光源の光源輝度は、直接光源の光源輝度より高いという技術的手段を採用する。この発明によると、間接光源の光源輝度は、直接光源の光源輝度より高い。しかし、間接光源は間接照明によって記号を照明する。このため、記号が過剰に明るく照明されることが回避される。一方、直接光源は直接照明によって記号を照明する。このため、低い光源輝度であっても、記号が必要な明るさで照明される。さらに、直接光源の輝度を抑えることができるため、直接光源の光の漏れが低減される。
請求項９に記載の発明は、特定のモードは、車両を前進させるためのＤモードであり、組合せモードは、Ｄモードにおいて減速時の電力回生量を増加させるためのＢモードであることを特徴とする。
【００２５】
なお、特許請求の範囲および上記手段の項に記載した括弧内の符号は、ひとつの態様として後述する実施形態に記載の具体的手段との対応関係を示すものであって、本発明の技術的範囲を限定するものではない。
【図面の簡単な説明】
【００２６】
【図１】本発明を適用した第１実施形態のメータ装置を示す平面図である。
【図２】第１実施形態の表示装置であるシフトインジケータを示す平面図である。
【図３】第１実施形態のシフトインジケータを示す分解斜視図である。
【図４】第１実施形態のシフトインジケータの前面を示す斜視図である。
【図５】第１実施形態のシフトインジケータの裏面を示す斜視図である。
【図６】第１実施形態のシフトインジケータの前面を示す斜視図である。
【図７】図６のＶＩＩ−ＶＩＩ断面を示す断面図である。
【図８】図６のＶＩＩＩ−ＶＩＩＩ断面を示す断面図である。
【図９】図６のＩＸ−ＩＸ断面を示す部分断面図である。
【図１０】第１実施形態における光の漏れ経路を示す斜視図である。
【図１１】本発明を適用した第２実施形態のシフトインジケータを示す部分断面図である。
【発明を実施するための形態】
【００２７】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示してなくとも実施形態同士を部分的に組み合せることも可能である。
【００２８】
（第１実施形態）
図１は、本発明を適用した第１実施形態のメータ装置を示す平面図である。メータ装置１は、車両に搭載された車両用表示装置である。車両は内燃機関と電動機とを走行用動力源として併用するハイブリッド車である。
【００２９】
車両には、複数のモードのうちの一部を選択するための選択装置２が設けられている。複数のモードのうちの一部としては、単一のモードまたは複数のモードの組合せが選択される。複数のモードには、車両の運行状態に関連する複数のモードが含まれている。複数のモードには、車両を後退させるためのＲモード、車両の駆動系と動力源とを遮断するためのＮモード、車両を前進させるためのＤモード、Ｄモードにおいて減速時の電力回生量を増加させるためのＢモード、および車両を停車させるためのＰモードが含まれている。選択装置２は、運転者によって操作されるシフトレバー２１を備える。シフトレバー２１は、Ｒモード、Ｎモード、Ｄモード、およびＢモードを選択することを可能としている。Ｂモードは、Ｄモードにおいてのみ選択可能な組合せモードである。選択装置２は、パーキングブレーキ装置２２を備えている。パーキングブレーキ装置２２が操作されることによってＰモードが選択される。さらに、選択装置２は、制御装置２３を備えている。制御装置２３は、シフトレバー２１とパーキングブレーキ装置２２との操作状態を示す信号を入力し、選択されているモードに対応した出力信号を出力する。この出力信号は、後述する複数の光源の点灯または消灯を制御する。
【００３０】
メータ装置１には、表示装置としてのシフトインジケータ３が含まれている。シフトインジケータ３は、選択装置２からの出力信号に応答して、選択されているモードを表示する。
【００３１】
図２は、第１実施形態の表示装置であるシフトインジケータ３を示す平面図である。シフトインジケータ３の表示板４には、複数の記号４０が配置されている。表示板４は、アクリルまたはポリカーボネート等の透光性樹脂の板と、その表面および／または裏面に印刷された印刷層とを有する。印刷層によって、複数の記号４０が表されている。印刷層は、黒色遮光性のインクで形成されたインク部と、非印刷部または透光部とを有する。非印刷部または透光部が、記号の形状をもっている。表示板４の非印刷部または透光部には、光を散乱させて一様な明るさを実現するための細かい凹凸部が形成されている。細かい凹凸部は、しぼ加工面とも呼ばれる。
【００３２】
よって、複数の記号４０のそれぞれは、表示板４の背後から照明されることによって、照明光を透過させる。この結果、記号４０は、明るくなり、表示状態となる。さらに、一部の記号４０の表示状態は、照明の態様を切換えることによって、その記号の存在を示すだけの第１表示状態と、その記号で示されるモードが選択されたことを示す第２表示状態とに切換えられる。
【００３３】
照明の態様は、照明光の特性を切換えることによって切換えられる。具体的には、第１の特性をもつ光と、第２の特性をもつ光とが切換えて供給される。第２の特性の光と、第１の特性の光とは、人が識別できるように異なっている。第１の特性をもつ光として、背景色としての第１の色の光が供給される。第１の色は、白色である。第１の色は、複数の記号に供給する共通色、あるいは背景として用いられているから背景色とも呼ぶことができる。白色光による照明は、複数の記号４０の存在を視認できるようにすることが目的である。第２の特性をもつ光として、選択されたモードを他のモードから識別可能に示すための第２の色の光が供給される。第２の色は、第１の色とは異なる。第２の色は、オレンジ色または緑色である。第２の色の光は、選択されたモードに相当する記号だけに向けて、第１の色の光に加えて供給される。第２の色は、シフトインジケータ３上においてひとつの記号を目立たせる色である。第２の色は、表示色あるいは特定色とも呼ぶことができる。
【００３４】
複数の記号４０には、シフトレバー２の操作方法または操作方向を示す操作記号４１Ｆ、４１Ｍと、複数のモードを示す文字記号４３Ｒ、４２Ｎ、４２Ｄ、４２Ｂ、４２Ｐとが含まれている。操作記号４１Ｆは、第１操作記号とも呼ばれる。操作記号４１Ｆには、シフトレバー２のホームポジションを示す丸記号と、Ｒモード、Ｎモード、Ｄモードへの操作方向を示す３つの矢印記号とが含まれている。操作記号４１Ｍには、Ｂモードへの操作方向を示すひとつの矢印記号が含まれている。操作記号４１Ｍは、第２操作記号とも呼ばれる。文字記号は、印に置き換えることができるから、モード記号とも呼ぶことができる。Ｐモードを示す記号４２Ｐは、文字と枠とで構成されている。ここで、文字記号４３Ｒ、４２Ｎ、４２Ｄ、４２Ｐは、第１モード記号とも呼ばれる。文字記号４２Ｂは第２モード記号とも呼ばれる。
【００３５】
車両の電源スイッチがＯＮ位置に操作されている間中、操作記号４１Ｆと、複数の文字記号４３Ｒ、４２Ｎ、４２Ｄ、４２Ｐとが白色光で照明されることによって表示される。操作記号４１Ｆは、車両の電源スイッチがＯＮ位置に操作されている間中、白色光だけで照明される第１の単色記号である。よって、複数の記号４１Ｆ、４３Ｒ、４２Ｎ、４２Ｄ、４２Ｐは、車両の電源スイッチがＯＮ位置に操作されている間中、第１の色の光で照明される第１記号群を形成している。
【００３６】
操作記号４１Ｍと文字記号４２Ｂとは、文字記号４２Ｄが表示されているＤモードにおいてのみ、白色光で照明される。したがって、操作記号４１Ｍと文字記号４２Ｂとは、第１記号群とは独立して白色光による照明を遮断可能な第２記号群を形成している。操作記号４１Ｍは、白色光だけで照明される第２の単色記号である。
【００３７】
さらに、選択されたモードに相当する文字記号４３Ｒ、４２Ｎ、４２Ｄ、４２Ｐのいずれかが選択的に第２の色で照明され、表示される。さらに、ＤモードにおいてＢモードが選択されると、文字記号４２Ｄに加えて、文字記号４２Ｂも、第２の色の光で同時に照明される。文字記号４３Ｒはオレンジ色の光を供給される。他の文字記号４２Ｎ、４２Ｄ、４２Ｂ、４２Ｐは、緑色の光を供給される。よって、文字記号４３Ｒ、４２Ｎ、４２Ｄ、４２Ｐ、４２Ｂは、色が第１の色と第２の色とに変化する変色記号とも呼ぶことができる。
【００３８】
図３は、シフトインジケータ３を示す分解斜視図である。シフトインジケータ３は、表示板４と、仕切部材５と、光源装置６とを有する。表示板４と光源装置６との間に、仕切部材５だけが配置されている。仕切部材５の上端は、表示板４の裏面にほぼ密着して配置されている。仕切部材５は、照明光を通すための複数の通路を区画する部材である。仕切部材５は、照明すべき複数の範囲を互いに区画する部材でもある。仕切部材５の直下には、光源装置６が配置される。表示板４と仕切部材５との間には、表示板４と平行な横方向、すなわちＸ−Ｙ平面に沿って光を案内することができる透光性の導光板は設けられていない。表示板４と仕切部材５との間には、表示板４と平行な横方向への光の通過を許容する大きな隙間も設けられていない。仕切部材５の下側端面は、光源装置６の回路基板６４上に当接している。仕切部材５の下側端面と光源装置６との間に、０．５ｍｍ程度の隙間を設けてもよい。
【００３９】
光源装置６は、単色記号と変色記号とを間接的に照明する間接光源６１と、変色記号を直接に照明する直接光源６２、６３とを含む複数の光源６０を備えている。複数の光源６０は、複数の発光ダイオード（以下ＬＥＤという）６０によって提供されている。複数のＬＥＤ６０は、複数の間接ＬＥＤ６１ＮＲ、６１ＤＦ、６１ＢＭ、６１ＰＦと、複数の直接ＬＥＤ６２Ｎ、６２Ｄ、６２Ｂ、６２Ｐ、６３Ｒとを備えている。間接ＬＥＤ６１ＮＲ、６１ＤＦ、６１ＢＭ、６１ＰＦは、間接照明のための第１の色の光を供給する。第１の色は、第１表示状態を提供する。第１の色は、白色である。直接ＬＥＤ６２Ｎ、６２Ｄ、６２Ｂ、６２Ｐ、６３Ｒは、直接照明のための第２の色の光を供給する。第２の色は、第２表示状態を提供する。第２の色は、第１の色とは異なる色である。直接ＬＥＤ６２Ｎ、６２Ｄ、６２Ｂ、６２Ｐ、６３Ｒには、緑色のＬＥＤ６２Ｎ、６２Ｄ、６２Ｂ、６２Ｐと、オレンジ色のＬＥＤ６３Ｒとが含まれている。間接ＬＥＤ６１ＮＲ、６１ＤＦ、６１ＰＦは、第１間接光源とも呼ばれる。間接ＬＥＤ６１ＢＭは第２間接光源とも呼ばれる。直接ＬＥＤ６３Ｒ、６２Ｎ、６２Ｄ、６２Ｐは第１直接光源とも呼ばれる。直接ＬＥＤ６２Ｂは第２直接光源とも呼ばれる。
【００４０】
複数のＬＥＤ６０は、回路基板６４上に実装されている。回路基板６４上には、白色の印刷層６５がスクリーン印刷によって形成されている。印刷層６５は、光を反射させるために有効である。印刷層６５は、仕切部材５で覆われる範囲、または複数のＬＥＤ６０の配置範囲にほぼ対応して形成されている。印刷層６５は、少なくとも後述する光の通路に対応して形成されている。
【００４１】
複数の間接ＬＥＤ６１ＮＲ、６１ＤＦ、６１ＢＭ、６１ＰＦは、複数の直接ＬＥＤ６２Ｎ、６２Ｄ、６２Ｂ、６２Ｐ、６３Ｒの配置範囲の外側に、分散して配置されている。間接ＬＥＤ６１は、２つの記号に隣接して、その側方に位置するように配置されている。例えば、間接ＬＥＤ６１ＮＲは、文字記号４３Ｒと文字記号４２Ｎとの両方に隣接するように、これらの記号４３Ｒ、４２Ｎの直下から側方に離れて配置されている。間接ＬＥＤ６１ＤＦは、文字記号４２Ｄと操作記号４１Ｆとの両方に隣接するように、これらの記号４２Ｄ、４１Ｆの直下から側方に離れて配置されている。間接ＬＥＤ６１ＢＭは、文字記号４２Ｂと操作記号４１Ｍとの両方に隣接するように、これらの記号４２Ｂ、４１Ｍの直下から側方に離れて配置されている。間接ＬＥＤ６１ＰＦは、文字記号４２Ｐと操作記号４１Ｆとの両方に隣接するように、これらの記号４２Ｐ、４１Ｆの直下から側方に離れて配置されている。
【００４２】
複数の直接ＬＥＤ６２Ｎ、６２Ｄ、６２Ｂ、６２Ｐ、６３Ｒのそれぞれは、複数の記号４２Ｎ、４２Ｄ、４２Ｂ、４２Ｐ、４３Ｒいずれかひとつに対応付けられている。直接ＬＥＤ６２、６３は、対応する記号の下に配置されている。直接ＬＥＤ６２、６３は、それらの光の照射方向が、対応する記号に直接に指向するように配置されている。
【００４３】
光源装置６は、回路基板６４を左ハンドル車用にも転用できるように構成されている。回路基板６４は、左右対称になるように、ＬＥＤ設置用のランドが設けられている。図中において、ＬＥＤ６２Ｖは、左ハンドル車用の直接ＬＥＤ６２Ｎの位置を示している。この実施形態では、ＬＥＤ６２Ｖの位置には、ＬＥＤは設けられていない。
【００４４】
図４は、第１実施形態のシフトインジケータ３の前面を示す斜視図である。この図は、表示板４を透視した状態を示している。この図では、複数の記号４０と仕切部材５との対応関係を示すために複数の記号４０が図示されている。
【００４５】
図５は、第１実施形態のシフトインジケータ３の裏面を示す斜視図である。この図は、回路基板６４を透視した状態を示している。この図では、複数のＬＥＤ６０と仕切部材５との対応関係を示すために複数のＬＥＤ６０が図示されている。
【００４６】
図６は、第１実施形態のシフトインジケータ３の前面を示す斜視図である。図７は、図６のＶＩＩ−ＶＩＩ断面を示す断面図である。図８は、図６のＶＩＩＩ−ＶＩＩＩ断面を示す断面図である。図９は、図６のＩＸ−ＩＸ断面を示す部分断面図である。
【００４７】
図４および図５において、仕切部材５は、白色の樹脂を成形することによって形成されている。仕切部材５は、ほぼ箱状に形成されている。仕切部材５は、ひとつのＬＥＤ６０からの光を、対応付けられたひとつまたは複数の記号４０まで直接に、または間接的に導くための通路を区画している。これら通路は空気で充たされている。仕切部材５は、複数の縦仕切５０と、複数の横仕切５１とを備えており、それらの集合体と見ることができる。縦仕切５０は、縦筒５０とも呼ぶことができる。縦筒５０は、その内部に縦貫通穴を区画している。横仕切５１は、光源装置６側の端面と、隣接する縦筒５０と接する側面とが開口したカバー部材５１または横筒５１とも呼ぶことができる。横筒５１は、凹部を区画している。縦貫通穴と、凹部とは、通路を提供する。
【００４８】
仕切部材５は、角筒状の外筒と、その内部を複数の通路に仕切っている複数の仕切板とを備える部材として見ることもできる。また、仕切部材５は、その表裏面を縦方向に貫通する複数の縦貫通穴と、その裏面から縦方向に延びる複数の凹部とを形成する部材とも見ることができる。
【００４９】
縦筒５０は、光源装置６から表示板４へ向かう縦方向（Ｚ軸の方向）に沿って延びる縦貫通穴を区画している。隣接する２つの縦筒５０は、それらの間の壁を共用して構成されている。縦筒５０は、縦方向Ｚに沿って広がる縦仕切板によって形成されている。
【００５０】
複数の縦筒５０は、ひとつの縦筒５０が、ひとつの記号４０に対応するように形成され、配列されている。縦筒５０は、対応する記号４０の背後に配置された一端開口を有している。一端開口は、対応する記号４０だけを包含できる大きさを有している。
【００５１】
また、複数の縦筒５０は、直接縦筒５０Ｒ、５０Ｎ、５０Ｄ、５０Ｐ、５０Ｂと、間接縦筒５０Ｆ、５０Ｍとを含んでいる。角筒状の直接縦筒５０Ｒは、文字記号４３Ｒの直下に位置している。角筒状の直接縦筒５０Ｎは、文字記号４２Ｎの直下に位置している。角筒状の直接縦筒５０Ｄは、文字記号４２Ｄの直下に位置している。角筒状の直接縦筒５０Ｐは、文字記号４２Ｐの直下に位置している。角筒状の直接縦筒５０Ｂは、文字記号４２Ｂの直下に位置している。直接縦筒５０Ｒ、５０Ｎ、５０Ｄ、５０Ｐ、５０Ｂは、変色記号４３Ｒ、４２Ｎ、４２Ｄ、４２Ｐ、４２Ｂの下に配置されている。直接縦筒５０Ｒ、５０Ｎ、５０Ｄ、５０Ｐは第１直接縦筒とも呼ばれる。直接縦筒５０Ｂは第２直接縦筒とも呼ばれる。断面Ｔ字型の間接縦筒５０Ｆは、操作記号４１Ｆの直下に位置している。角筒状の間接縦筒５０Ｍは、操作記号４１Ｍの直下に位置している。間接縦筒５０Ｆ、５０Ｍは、単色記号４１Ｆ、４１Ｍの下に配置されている。間接縦筒５０Ｆは第１間接縦筒とも呼ばれる。間接縦筒５０Ｍは第２間接縦筒とも呼ばれる。
【００５２】
直接縦筒５０Ｒ、５０Ｎ、５０Ｄ、５０Ｐ、５０Ｂは、直接ＬＥＤ６２Ｎ、６２Ｄ、６２Ｂ、６２Ｐ、６３Ｒの対応するひとつだけを囲む他端開口を有している。他端開口は、対応する直接ＬＥＤ６２Ｎ、６２Ｄ、６２Ｂ、６２Ｐ、６３Ｒだけを包含できる大きさを有している。直接縦筒５０Ｒ、５０Ｎ、５０Ｄ、５０Ｐ、５０Ｂのそれぞれは、シフトインジケータ３の縦方向（Ｚ軸方向）に沿って真っ直ぐに延びる筒状である。直接縦筒５０Ｒ、５０Ｎ、５０Ｄ、５０Ｐ、５０Ｂのそれぞれによって区画される縦貫通穴は、一端開口と他端開口との間を、縦方向にまっすぐに延びている。この結果、複数の直接縦筒５０Ｒ、５０Ｎ、５０Ｄ、５０Ｐ、５０Ｂのそれぞれの両端には、対応する記号４０と、対応する第２の色のＬＥＤとが直接に対向するように位置づけられる。
【００５３】
直接縦筒５０Ｒ、５０Ｎ、５０Ｄ、５０Ｐ、５０Ｂのそれぞれは、直接照明通路を区画形成している。直接照明通路は、直接ＬＥＤ６２Ｎ、６２Ｄ、６２Ｂ、６２Ｐ、６３Ｒのひとつが、文字記号４２Ｎ、４２Ｄ、４２Ｂ、４２Ｐ、４３Ｒのひとつを直接に照明することを可能としている。
【００５４】
間接縦筒５０Ｆ、５０Ｍのそれぞれは、下端開口を有しているが、その下端開口の範囲内にはＬＥＤがない。間接縦筒５０Ｆは、その縦方向の中間に中間板５４Ｆを有する。中間板５４Ｆは、間接縦筒５０Ｆ内を、上部空間と下部空間とに仕切っている。中間板５４Ｆには、縦連通口５５Ｆが開設されている。縦連通口５５Ｆは、操作記号４１Ｆのおおよその形状に対応して、ほぼＴ字型に開設されている。さらに、間接縦筒５０Ｆには、光を反射して操作記号４１Ｆへ到達させるための斜面５６Ｆが形成されている。斜面５６Ｆは、縦連通口５５Ｆを通して供給される間接照明光を操作記号４１Ｆへ向けて案内するように傾斜している。間接縦筒５０Ｍは、その縦方向の中間に中間板５４Ｍを有する。中間板５４Ｍは、間接縦筒５０Ｍ内を、上部空間と下部空間とに仕切っている。中間板５４Ｍには、縦連通口５５Ｍが開設されている。縦連通口５５Ｍは、間接縦筒５０Ｍに対応する横筒５１ＢＭから最も離れた部位に設けられている。縦連通口５５Ｍの形状、大きさ、および位置は、操作記号４１Ｍに到達する第１の色の光の量と分布とを調節するように設定されている。縦連通口５５Ｆの形状、大きさ、および位置は、操作記号４１Ｆに到達する第１の色の光の量と分布とを調節するように設定されている。これら縦連通口５５Ｍ、５５Ｆは、操作記号４１Ｍと操作記号４１Ｆとがほぼ同程度の明るさとなるように調節される。
【００５５】
間接縦筒５０Ｍ、５０Ｆのそれぞれは、間接照明通路の一部を区画形成している。間接照明通路は、間接ＬＥＤ６１ＮＲ、６１ＤＦ、６１ＢＭ、６１ＰＦのひとつが、操作記号４１Ｍ、４１Ｆのひとつを間接的に照明することを可能としている。
【００５６】
複数の横筒５１のそれぞれは、表示板４と光源装置６とに対して平行な横方向（Ｘ−Ｙ平面に沿った方向）に沿って広がる扁平な凹部を区画している。複数の横筒５１は、直方体状に形成された仕切部材５の３辺に分散して設けられている。横筒５１は、仕切部材５の下部から光源装置６に沿って延び出している。横筒５１は、光源装置６に面する下側に間接ＬＥＤ６１を囲む開口を有する。横筒５１は、対応する間接ＬＥＤ６１を縦方向に関して、すなわち光の出射方向に関して覆っている。これにより、間接ＬＥＤ６１からの光は必ず横筒５１の内面で反射される。さらに、横筒５１が区画する凹部は、縦筒５０の光源装置６に近い位置に形成された連通口を介して縦筒５０が区画している縦貫通穴と連通している。連通口は、表示板４よりも光源装置６に近い位置に開設されている。言い換えると、連通口は、直接ＬＥＤ６２、６３の出射方向に関して、直接ＬＥＤ６２、６３と直接に対向しないように開設されている。連通口の位置、および連通口の縦方向への高さは、直接ＬＥＤ６２、６３から横筒５１内の凹部への直接光の入射を低減するように、または望ましくは阻止するように設定されている。光源連通口は、縦筒５０の光源装置６側の端部に形成されている。連通口は、縦筒５０と横筒５１との間に位置する仕切板の縁に設けられた切欠き部分または貫通穴によって形成することができる。連通口は、縦方向と直交する方向（Ｘ−Ｙ平面に沿った方向）に向けて開口している。横筒５１ＮＲ、５１ＤＦ、５１ＰＦは、第１横筒とも呼ばれる。横筒５１ＢＭは、第２横筒とも呼ばれる。
【００５７】
図５および図７において、横筒５１ＰＦは、縦筒５０Ｐと縦筒５０Ｆとの側方に位置している。横筒５１ＰＦは、その下側に、間接ＬＥＤ６１ＰＦを包含する大きさの下開口端を有している。横筒５１ＰＦは、その横側に、直接縦筒５０Ｐ内の下部空間に連通する横連通口５２Ｐと、間接縦筒５０Ｆ内の下部空間に連通する横連通口５３Ｆ１とを有している。よって、横筒５１ＰＦは、間接ＬＥＤ６１ＰＦからの光を直接縦筒５０Ｐと間接縦筒５０Ｆとに分岐させて供給する分岐通路を提供している。横連通口５２Ｐは、直接縦筒５０Ｐと横筒５１ＰＦとの境界に開口する部分５２Ｐ１と、直接縦筒５０Ｐと間接縦筒５０Ｆとの境界に開口する部分５２Ｐ２とを有している。部分５２Ｐ２は、中間板５４Ｆより下に配置されている。このため、縦方向（Ｚ軸方向）に沿って表示板４から見た場合に、部分５２Ｐ２は、中間板５４Ｆによって覆い隠されている。言い換えると、中間板５４Ｆは、横筒５１ＰＦによって区画されている間接照明のための凹部を、間接縦筒５０Ｆ内にまで延長することによって延長凹部を形成している。横連通口５２Ｐの形状、大きさ、高さ（Ｚ軸方向）は、直接縦筒５０Ｐへ導入される間接ＬＥＤ６１ＰＦの光量を調節するように設定されている。よって、横連通口５２Ｐは、光量を調節するための横筒絞りでもある。横連通口５３Ｆ１は、横筒５１ＰＦと間接縦筒５０Ｆとの間の境界の全体にわたって広がっている。よって、横連通口５３Ｆ１は、光量を調節することを意図していない。ただし、操作記号４１Ｆへの光量は、縦筒絞りとしての縦連通口５５Ｆによって調節されている。
【００５８】
図５および図７において、横筒５１ＮＲは、縦筒５０Ｒと縦筒５０Ｎとの側方に位置している。横筒５１ＮＲは、その下側に、間接ＬＥＤ６１ＮＲを包含する大きさの下開口端を有している。横筒５１ＮＲは、その横側に、直接縦筒５０Ｒ内の下部空間に連通する横連通口５２Ｒと、直接縦筒５０Ｎ内の下部空間に連通する横連通口５２Ｎとを有している。よって、横筒５１ＮＲは、間接ＬＥＤ６１ＮＲからの光を直接縦筒５０Ｎと直接縦筒５０Ｒとに分岐させて供給する分岐通路を提供している。横連通口５２Ｒは、直接縦筒５０Ｒと横筒５１ＮＲとの境界に形成されている。横連通口５２Ｒの形状、大きさ、高さ（Ｚ軸方向）は、直接縦筒５０Ｒへ導入される間接ＬＥＤ６１ＮＲの光量を調節するように設定されている。よって、横連通口５２Ｒは、光量を調節するための横筒絞りでもある。横連通口５２Ｎは、直接縦筒５０Ｎと横筒５１ＮＲとの境界に形成されている。横連通口５２Ｎの形状、大きさ、高さ（Ｚ軸方向）は、直接縦筒５０Ｎへ導入される間接ＬＥＤ６１ＮＲの光量を調節するように設定されている。よって、横連通口５２Ｎは、光量を調節するための横筒絞りでもある。
【００５９】
図５および図８において、横筒５１ＤＦは、縦筒５０Ｄと縦筒５０Ｆとの側方に位置している。横筒５１ＤＦは、その下側に、間接ＬＥＤ６１ＤＦを包含する大きさの下開口端を有している。横筒５１ＤＦは、その横側に、直接縦筒５０Ｄ内の下部空間に連通する横連通口５２Ｄと、間接縦筒５０Ｆ内の下部空間に連通する横連通口５３Ｆ２とを有している。よって、横筒５１ＤＦは、間接ＬＥＤ６１ＤＦからの光を直接縦筒５０Ｄと間接縦筒５０Ｆとに分岐させて供給する分岐通路を提供している。横連通口５２Ｄは、直接縦筒５０Ｄと横筒５１ＤＦとの境界に形成されている。横連通口５２Ｄの形状、大きさ、高さ（Ｚ軸方向）は、直接縦筒５０Ｄへ導入される間接ＬＥＤ６１ＤＦの光量を調節するように設定されている。よって、横連通口５２Ｄは、光量を調節するための横筒絞りでもある。横連通口５３Ｆ２は、横筒５１ＤＦと間接縦筒５０Ｆとの間の境界の全体にわたって広がっている。よって、横連通口５３Ｆ２は、光量を調節することを意図していない。ただし、操作記号４１Ｆへの光量は、縦筒絞りとしての縦連通口５５Ｆによって調節されている。
【００６０】
図５および図９において、横筒５１ＢＭは、縦筒５０Ｍと縦筒５０Ｂとの側方に位置している。横筒５１ＤＦと横筒５１ＢＭとは、一連の板材によって形成されている。横筒５１ＢＭは、その下端に、間接ＬＥＤ６１ＢＭを包含する大きさの下開口端を有している。間接ＬＥＤ６１ＢＭは、他の間接ＬＥＤ６１ＮＲ、６１ＤＦ、６１ＰＦから独立して消灯される。このため、他の横筒５１ＰＦ、５１ＮＲ、５１ＤＦからの光が横筒５１ＢＭ内に侵入しないように、横筒５１ＢＭの周囲の縦仕切板は回路基板６４に接触するように形成されている。同様の理由により、直接縦筒５０Ｂと間接縦筒５０Ｍとの周囲の縦仕切板は回路基板６４に接触するように形成されている。横筒５１ＢＭは、その横側に、直接縦筒５０Ｂ内の下部空間に連通する横連通口５２Ｂと、間接縦筒５０Ｍ内の下部空間に連通する横連通口５３Ｍとを有している。よって、横筒５１ＢＭは、間接ＬＥＤ６１ＢＭからの光を直接縦筒５０Ｂと間接縦筒５０Ｍとに分岐させて供給する分岐通路を提供している。横連通口５２Ｂは、直接縦筒５０Ｂと横筒５１ＢＭとの境界に形成されている。横連通口５２Ｂの形状、大きさ、高さ（Ｚ軸方向）は、直接縦筒５０Ｂへ導入される間接ＬＥＤ６１ＢＭの光量を調節するように設定されている。よって、横連通口５２Ｂは、光量を調節するための横筒絞りでもある。横連通口５３Ｍは、横筒５１ＢＭと間接縦筒５０Ｍとの間の境界の全体にわたって広がっている。よって、横連通口５３Ｍは、光量を調節することを意図していない。ただし、操作記号４１Ｍへの光量は、縦筒絞りとしての縦連通口５５Ｍによって調節されている。
【００６１】
図５に図示されるように、横連通口５２Ｒ、５２Ｎ、５２Ｄ、５２Ｂ、５２Ｐは、直接ＬＥＤ６３Ｒ、６２Ｎ、６２Ｄ、６２Ｂ、６２Ｐの側方において開口している。直接ＬＥＤ６３Ｒ、６２Ｎ、６２Ｄ、６２Ｂ、６２Ｐは、表示板４に指向するようにそれらの上面に光出射面を有している。よって、直接ＬＥＤ６３Ｒ、６２Ｎ、６２Ｄ、６２Ｂ、６２Ｐから出た光が、横連通口５２Ｒ、５２Ｎ、５２Ｄ、５２Ｂ、５２Ｐに直接的に入射することが回避されている。この結果、第２の色の光の漏れが抑制される。
【００６２】
図７に図示されるように、横連通口５２Ｒ、５２Ｎ、５２Ｄ、５２Ｂ、５２Ｐの高さＨＷと、直接ＬＥＤ６３Ｒ、６２Ｎ、６２Ｄ、６２Ｂ、６２Ｐの高さＨＤとは、ほぼ等しく設定されている。横連通口５２Ｒ、５２Ｎ、５２Ｄ、５２Ｂ、５２Ｐの縦方向への高さＨＷは、６３Ｒ、６２Ｎ、６２Ｄ、６２Ｂ、６２Ｐから横筒５１ＮＲ、５１ＤＦ、５１ＢＭ、５１ＰＦ内の凹部への直接光の入射を低減するように、または望ましくは阻止するように設定されている。高さＨＷは、回路基板６４の表面から連通口の上縁までの高さである。高さＨＤは、回路基板６４の表面からのＬＥＤの出射面の高さである。この構成も、直接ＬＥＤ６３Ｒ、６２Ｎ、６２Ｄ、６２Ｂ、６２Ｐから出た光が、横連通口５２Ｒ、５２Ｎ、５２Ｄ、５２Ｂ、５２Ｐに直接的に入射することを回避するために貢献している。なお、高さＨＷと高さＨＤとの関係は、ＨＷ≒ＨＤ、かつＨＷ＞ＨＤに設定することができる。高さＨＷは、高さＨＤより僅かに高い上限高さより低く設定することができる。これにより、第２の色の光の漏れが抑制される。
【００６３】
この実施形態では、仕切部材５は、少なくともひとつの直接縦筒５０と、その直接縦筒５０に連結された少なくともひとつの横筒５１とを備える。これにより、直接縦筒５０の上に位置する記号が、間接照明と直接照明とによって選択的に表示される。仕切部材５は、少なくとも２つの縦筒５０と、それら２つの縦筒５０に連結された少なくともひとつの横筒５１とを備える。これにより、ひとつの横筒５１によって２つの縦筒５０に間接照明が提供される。仕切部材５は、少なくとも２つの縦筒５０と、それら２つの縦筒５０に連結された少なくともひとつの横筒５１とを一組のユニットとして、複数のユニットを備える。これにより、多数の記号を表示することが可能となる。ひとつのユニットは、少なくとも２つの直接縦筒５０Ｒ、５０Ｎを備えることができる。ひとつのユニットは、直接縦筒５０Ｄ、５０Ｐ、５０Ｂの少なくともひとつと、間接縦筒５０Ｆ、５０Ｍの少なくともひとつとを備えることができる。
【００６４】
この実施形態では、ひとつの直接縦筒は、第２の色の光が直接光源から直接に記号へ到達することを可能とする直接照明通路を提供する。さらに、直接縦筒と横筒とは、第１の色の光が間接光源から反射、散乱した後に間接的に記号へ到達することを可能とする間接照明通路を提供する。よって、直接照明通路は、間接照明通路の一部を提供している。間接照明通路は、直接照明通路の下部に連結している。この結果、直接照明通路の下部から第１の色の光が供給される。さらに、ひとつの横筒内の凹部は、少なくともひとつの直接縦筒を含む複数の縦筒内の縦貫通穴に連通している。これにより、ひとつの横筒は、複数の縦筒に第１の色の光を供給する。すなわち、間接照明通路は、第１の色の光が分岐して複数の記号に到達することを可能とするように、分岐通路として形成されている。ひとつの横筒から第１の色の光を供給される複数の縦筒には、複数の直接縦筒を含むことができる。また、ひとつの横筒から第１の色の光を供給される複数の縦筒には、直接縦筒と、間接縦筒とを含むことができる。
【００６５】
図２および図３に戻り、複数の記号４０が白色で照明されるとき、それらの記号４０上における輝度は、２０ｃｄ／ｍ２程度である。一方、文字記号４３Ｒ、４２Ｎ、４２Ｄ、４２Ｐがオレンジ色または緑色で照明されるとき、それらの文字記号上における輝度は２００ｃｄ／ｍ２程度である。これにより、選択されているモードに対応する文字記号が、背景表示としての白色よりも明確により明るく、着色されて表示される。このような低輝度の背景表示と、高輝度の選択表示とを提供するために、複数のＬＥＤ６０の光源輝度が選定されている。ここで、白色の間接ＬＥＤ６１ＮＲ、６１ＤＦ、６１ＰＦ、６１ＢＭの光は、複数の横筒５１内において乱反射した後に、複数の記号４０に到達する。一方で、オレンジ色または緑色の直接ＬＥＤ６３Ｒ、６２Ｎ、６２Ｄ、６２Ｂ、６２Ｐの光は、直接に記号４０に到達する。このような光の経路の違いを考慮して、間接ＬＥＤ６１ＮＲ、６１ＤＦ、６１ＰＦ、６１ＢＭには、直接ＬＥＤ６３Ｒ、６２Ｎ、６２Ｄ、６２Ｂ、６２Ｐより高い光源輝度をもつ高輝度ＬＥＤが用いられている。これにより、背景表示のための光を、仕切部材５と回路基板６４との間の乱反射によって提供しても、表示板４上において必要な輝度を実現することができる。また、記号が過剰に明るく照明されることも回避される。さらに、直接ＬＥＤ６３Ｒ、６２Ｎ、６２Ｄ、６２Ｂ、６２Ｐの輝度を抑えることができる。このため、オレンジ色または緑色の光の漏れが抑制される。さらに、複数のＬＥＤ６０のそれぞれの輝度は、表示板４上において必要な輝度が得られるように、供給される電流を調節することによって調節されている。
【００６６】
制御装置２３は、車両の電源スイッチがＯＮ位置に操作されている間中、間接ＬＥＤ６１ＮＲ、６１ＤＦ、６１ＰＦを点灯させる。これにより、選択可能なモードの存在が表示されるとともに、シフトレバー２１の操作方向が表示される。制御装置２３は、シフトレバー２１またはパーキングブレーキ装置２２によって特定のモードが選択されると、選択されたモードに対応する直接ＬＥＤ６３Ｒ、６２Ｎ、６２Ｄ、６２Ｂ、６２Ｐを点灯させる。制御装置２３は、Ｒモードが選択されている時にだけ、オレンジ色のＬＥＤ６３Ｒを点灯させる。制御装置２３は、Ｎモードが選択されている時にだけ、緑色のＬＥＤ６２Ｎを点灯させる。制御装置２３は、Ｄモードが選択されている時にだけ、緑色のＬＥＤ６２Ｄを点灯させる。制御装置２３は、Ｐモードが選択されている時にだけ、緑色のＬＥＤ６２Ｐを点灯させる。制御装置２３は、Ｄモードが選択されている時にだけ、間接ＬＥＤ６１ＢＭを点灯させる。さらに、制御装置２３は、Ｄモードが選択され、かつＢモードが選択されている時にだけ、緑色のＬＥＤ６２Ｂを点灯させる。
【００６７】
図１０は、第１実施形態における第２の色の光の漏れ経路を示す斜視図である。複数の縦筒５０が区画する複数の縦貫通穴は、表示板４に近い上端部においては、互いに分離されており、独立している。仕切部材５は、表示板４に近い上端部において、複数の縦筒５０の間の光の漏れを遮断する仕切りを提供している。隣接する２つの縦筒５０が区画する縦貫通穴は、それら縦筒５０の下部においてのみ、すなわち表示板４とは反対側の端部においてのみ連通している。このため、直接縦筒５０Ｒ、５０Ｎ、５０Ｄ、５０Ｂ、５０Ｐに配置された直接ＬＥＤ６３Ｒ、６２Ｎ、６２Ｄ、６２Ｂ、６２Ｐの光は、数回の反射を経てから、他の縦筒５０へ到達する。また、隣接する２つの縦筒５０が区画する縦貫通穴は、共通の横筒５１内の凹部、または中間板５４Ｆ、５４Ｍによって延長された延長凹部を通して連通されている。よって、直接縦筒５０Ｒ、５０Ｎ、５０Ｄ、５０Ｂ、５０Ｐに配置された直接ＬＥＤ６３Ｒ、６２Ｎ、６２Ｄ、６２Ｂ、６２Ｐの光は、凹部または延長凹部内で反射されてから、他の縦筒５０へ到達する。さらに、横筒５１は、縦筒５０の側方へ突出して形成されているから、横筒５１内の凹部を経由する漏洩光は長い経路を与えられる。これらの構成により、直接縦筒５０Ｒ、５０Ｎ、５０Ｄ、５０Ｂ、５０Ｐからの漏洩光は弱められた後に、他の縦筒５０に到達する。これにより、第２の色の光の漏れが抑制される。
【００６８】
文字記号４３Ｒと文字記号４２Ｎとは、白色に照明される。Ｒモードが選択されると、直接ＬＥＤ６３Ｒが点灯する。直接ＬＥＤ６３Ｒの光は、文字記号４３Ｒを直接に照明する。これにより、文字記号４３Ｒがオレンジ色に照明される。このとき、直接縦筒５０Ｒから横筒５１ＮＲを経由して直接縦筒５０Ｎへ漏れ出すオレンジ色の光の量は、横連通口５２Ｒと横連通口５２Ｎとの位置、大きさ、高さによって少なく制限される。しかも、漏れたオレンジ色の光は、横筒５１ＮＲ内で反射することによって減衰し、弱められる。さらに、間接ＬＥＤ６１ＮＲの白い光がオレンジ色の光をかき消す。このため、文字記号４２Ｎへのオレンジ色の光の漏れが低減される。また、Ｎモードが選択されると、直接ＬＥＤ６２Ｎが点灯する。直接ＬＥＤ６２Ｎの光は、文字記号４２Ｎを直接に照明する。これにより、文字記号４２Ｎが緑色に照明される。このとき、直接縦筒５０Ｎから横筒５１ＮＲを経由して直接縦筒５０Ｒへ漏れ出す緑色の光の量は、横連通口５２Ｎと横連通口５２Ｒとの位置、大きさ、高さによって少なく制限される。しかも、漏れた緑色の光は、横筒５１ＮＲ内で反射することによって減衰し、弱められる。さらに、間接ＬＥＤ６１ＮＲの白い光が緑色の光をかき消す。このため、文字記号４３Ｒへのオレンジ色の光の漏れが低減される。
【００６９】
文字記号４２Ｐと操作記号４１Ｆとは、白色に照明される。Ｐモードが選択されると、直接ＬＥＤ６２Ｐが点灯する。直接ＬＥＤ６２Ｐの光は、文字記号４２Ｐを直接に照明する。これにより、文字記号４２Ｐが緑色に照明される。このとき、直接縦筒５０Ｐから間接縦筒５０Ｆへ漏れ出す緑色の光の量は、横連通口５２Ｐの位置、大きさ、高さによって少なく制限される。しかも、漏れた緑色の光は、中間板５４Ｆより下の間接縦筒５０Ｆ内で反射することによって減衰し、弱められる。さらに、間接ＬＥＤ６１ＰＦの白い光が緑色の光をかき消す。このため、操作記号４１Ｆへの緑色の光の漏れが低減される。
【００７０】
文字記号４２Ｄと操作記号４１Ｆとは、白色に照明される。Ｄモードが選択されると、直接ＬＥＤ６２Ｄが点灯する。直接ＬＥＤ６２Ｄの光は、文字記号４２Ｄを直接に照明する。これにより、文字記号４２Ｄが緑色に照明される。このとき、直接縦筒５０Ｄから横筒５１ＤＦを経由して間接縦筒５０Ｆへ漏れ出す緑色の光の量は、横連通口５２Ｄと横連通口５３Ｆ２との位置、大きさ、高さによって少なく制限される。しかも、漏れた緑色の光は、横筒５１ＤＦ内で反射することによって減衰し、弱められる。さらに、間接ＬＥＤ６１ＤＦの白い光が緑色の光をかき消す。このため、操作記号４１Ｆへの緑色の光の漏れが低減される。
【００７１】
文字記号４２Ｂと操作記号４１Ｍとは、白色に照明される。Ｂモードが選択されると、直接ＬＥＤ６２Ｂが点灯する。直接ＬＥＤ６２Ｂの光は、文字記号４２Ｂを直接に照明する。これにより、文字記号４２Ｂが緑色に照明される。このとき、直接縦筒５０Ｂから横筒５１ＢＭを経由して間接縦筒５０Ｍへ漏れ出す緑色の光の量は、横連通口５２Ｂと横連通口５３Ｍとの位置、大きさ、高さによって少なく制限される。しかも、漏れた緑色の光は、横筒５１ＢＭ内で反射することによって減衰し、弱められる。しかも、漏れた緑色の光は、中間板５４Ｍより下の間接縦筒５０Ｍ内で反射することによって減衰し、弱められる。さらに、間接ＬＥＤ６１ＢＭの白い光が緑色の光をかき消す。このため、操作記号４１Ｍへの緑色の光の漏れが低減される。
【００７２】
従って、ひとつの直接縦筒５０から他の縦筒５０への直接ＬＥＤ６３Ｒ、６２Ｎ、６２Ｄ、６２Ｂ、６２Ｐの光の漏れが抑制される。具体的には、隣接した２つの縦筒５０の一方から他方への直接ＬＥＤ６３Ｒ、６２Ｎ、６２Ｄ、６２Ｂ、６２Ｐの光の漏れが抑制される。より具体的には、ひとつの横筒５１を共有する２つの縦筒５０の一方から他方への直接ＬＥＤ６３Ｒ、６２Ｎ、６２Ｄ、６２Ｂ、６２Ｐの光の漏れが抑制される。
【００７３】
この実施形態によると、導光板を用いることなく、複数の記号を第１の光で照明することができる。しかも、ひとつの記号を第１の光と異なる第２の光で照明しても、他の記号への第２の光の漏れを低減することができる。この結果、簡単な構成で、ひとつの記号から他の記号への光の漏れを低減することができる。
【００７４】
（第２実施形態）
図１１は、本発明を適用した第２実施形態のシフトインジケータ３を示す部分断面図である。図１１は、図２における文字記号４３Ｒと文字記号４２Ｎとの範囲における縦断面（Ｘ軸方向）を示している。仕切部材２０５は、直接縦筒５０Ｒと直接縦筒５０Ｎとの間に、横筒２５１ＮＲを備えている。横筒２５１ＮＲは、直接縦筒５０Ｒおよび直接縦筒５０Ｎと重複して配置されている。横筒２５１ＮＲは、直接縦筒５０Ｒと直接縦筒５０Ｎとの間を仕切る仕切板２５０ＮＲの下端に、仕切板２５０ＮＲと一体に形成されている。横筒２５１ＮＲは、文字記号４３Ｒおよび文字記号４２Ｎとも重複して配置されている。横筒２５１ＮＲと直接縦筒５０Ｒとの間には、横連通口２５２Ｒが設けられている。横筒２５１ＮＲと直接縦筒５０Ｎとの間には、横連通口２５２Ｎが設けられている。さらに、横筒２５１ＮＲの下には、間接ＬＥＤ２６１ＮＲが配置されている。間接ＬＥＤ２６１ＮＲは、直接ＬＥＤ６３Ｒと、直接ＬＥＤ６２Ｎとの間に配置されている。この実施形態によると、横筒２５１ＮＲが、仕切部材２０５の側方へ突出することなく配置される。直接縦筒５０Ｒと直接縦筒５０Ｎとは、直接ＬＥＤ６３Ｒまたは直接ＬＥＤ６２Ｎを取り去ることによって間接縦筒として利用されてもよい。この第２実施形態の構成は、他の隣接する２つの縦筒５０に適用することができる。
【００７５】
この実施形態でも、導光板を用いることなく、複数の記号を第１の光で照明することができる。しかも、ひとつの記号を第１の光と異なる第２の光で照明しても、他の記号への第２の光の漏れを低減することができる。この結果、簡単な構成で、ひとつの記号から他の記号への光の漏れを低減することができる。
【００７６】
（他の実施形態）
以上、本発明の好ましい実施形態について説明したが、本発明は上述した実施形態に何ら制限されることなく、本発明の主旨を逸脱しない範囲において種々変形して実施することが可能である。
【００７７】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００７８】
例えば、上記実施形態では、光源としてＬＥＤを用いたが、電球などの光源を用いることができる。また、白、オレンジ、および緑に代えて、または加えて、他の色の光を用いることができる。第１の色は、淡黄色または淡青色などの淡い色とすることができる。第２の色は、黄色または青色などの鮮明な色とすることができる。また、直接照明光と、間接照明光との強さ、明滅などの特性を異ならせることによって、ひとつの記号の表示状態を切換えてもよい。また、表示板４は、記号部分を透光性とする構成に代えて、記号部分を遮光性としてもよい。また、ひとつの横筒から、３つ以上の複数の縦筒に間接照明のための光を供給してもよい。また、ひとつの縦筒内に複数の直接ＬＥＤを配置してもよい。さらに、ひとつの横筒内に複数の間接ＬＥＤを配置してもよい。
【符号の説明】
【００７９】
１  メータ装置
２  選択装置
３  シフトインジケータ
４  表示板
５  仕切部材
６  光源装置
【図１】
0005482304.tif 000002
【図２】
0005482304.tif 000003
【図３】
0005482304.tif 000004
【図４】
0005482304.tif 000005
【図５】
0005482304.tif 000006
【図６】
0005482304.tif 000007
【図７】
0005482304.tif 000008
【図８】
0005482304.tif 000009
【図９】
0005482304.tif 000010
【図１０】
0005482304.tif 000011
【図１１】
0005482304.tif 000012